(57)【要約】【課題】  シート面を効率よく冷却できるシート空調装置を提供する。【解決手段】  座部及び背もたれ部を有する車両用シートの温度を検出する温度検出手段と、シートの座部に設けられた複数の吹出口に通じている通風路と、通風路内に設けられている送風機と、通風路内に設けられている空気冷却装置とを備え、座部に設けられた複数の吹出口は、ほぼ全領域の吹出口と、背もたれ部側に近い領域の吹出口とで構成されており、ほぼ全領域の吹出口のみを開口する第一位置と、背もたれ部側に近い領域の吹出口のみを開口する第二位置とに位置しうる、通風路内に設けられた切替手段とをさらに備え、温度検出手段で検出したシート温度が予め定めた温度閾値を越えた場合に切替手段を第二位置に切り替える制御機構とを備えている。【選択図】      図１
2006117085.tif 000002
【特許請求の範囲】
【請求項１】
座部及び背もたれ部を有する車両用シートの温度を検出する温度検出手段と、
前記シートの座部に設けられた複数の吹出口に通じている通風路と、
前記通風路内に設けられている送風機と、
前記通風路内に設けられている空気冷却装置とを備え、
前記座部に設けられた複数の吹出口は、ほぼ全領域の吹出口と、前記背もたれ部側に近い領域の吹出口とで構成されており、
前記ほぼ全領域の吹出口のみを開口する第一位置と、前記背もたれ部側に近い領域の吹出口のみを開口する第二位置とに位置しうる、前記通風路内に設けられた切替手段とをさらに備え、
前記温度検出手段で検出したシート温度が予め定めた温度閾値を越えた場合に前記切替手段を前記第二位置に切り替える制御機構とを備えていることを特徴とする車両用シート空調装置。
【請求項２】
座部及び背もたれ部を有する車両用シートの温度を検出する温度検出手段と、
前記シートの背もたれ部に設けられた複数の吹出口に通じている通風路と、
前記通風路内に設けられている送風機と、
前記通風路内に設けられている空気冷却装置とを備え、
前記背もたれ部に設けられた複数の吹出口は、ほぼ全領域の吹出口と、前記座部側に近い領域の吹出口とで構成されており、
前記ほぼ全領域の吹出口のみを開口する第一位置と、前記座部側に近い領域の吹出口のみを開口する第二位置とに位置しうる、前記通風路内に設けられた切替手段とをさらに備え、
前記温度検出手段で検出したシート温度が予め定めた温度閾値を越えた場合に前記切替手段を前記第二位置に切り替える制御機構とを備えていることを特徴とする車両用シート空調装置。
【請求項３】
座部及び背もたれ部を有する車両用シートの温度を検出する温度検出手段と、
前記シートの座部及び背もたれ部に設けられた複数の吹出口に通じている通風路と、
前記通風路内に設けられている送風機と、
前記通風路内に設けられている空気冷却装置とを備え、
前記座部に設けられた複数の吹出口は、ほぼ全領域の吹出口と、前記背もたれ部側に近い領域の吹出口とで構成されており、
前記背もたれ部に設けられた複数の吹出口は、ほぼ全領域の吹出口と、前記座部側に近い領域の吹出口とで構成されており、
前記座部に設けられた複数の吹出口の中心軸線と、前記背もたれ部に設けられた複数の吹出口の中心軸線は、互いに偏倚しており、
前記座部のほぼ全領域の吹出口及び前記背もたれ部のほぼ全領域の吹出口のみを開口する第一位置と、前記座部の前記背もたれ部側に近い領域の吹出口及び前記背もたれ部の前記座部側に近い領域の吹出口のみを開口する第二位置とに位置しうる、前記通風路内に設けられた切替手段とをさらに備え、
前記切替手段の位置を切り替える制御機構とを備えていることを特徴とする車両用シート空調装置。
【請求項４】
座部及び背もたれ部を有する車両用シートの温度を検出する温度検出手段と、
前記シートの座部及び背もたれ部に設けられた複数の吹出口に通じている通風路と、
前記通風路内に設けられている送風機と、
前記通風路内に設けられている空気冷却装置とを備え、
前記座部に設けられた複数の吹出口は、ほぼ全領域の吹出口と、前記背もたれ部側に近い領域の吹出口とで構成されており、
前記背もたれ部に設けられた複数の吹出口は、ほぼ全領域の吹出口と、前記座部側に近い領域の吹出口とで構成されており、
前記背もたれ部側に近い領域の吹出口とで構成されており、
前記座部のほぼ全領域の吹出口及び前記背もたれ部のほぼ全領域の吹出口のみを開口する第一位置と、前記座部の前記背もたれ部側に近い領域の吹出口及び前記背もたれ部の前記座部側に近い領域の吹出口のみを開口する第二位置とに位置しうる、前記通風路内に設けられた切替手段とをさらに備え、
前記切替手段の位置を切り替える制御機構とを備えていることを特徴とする車両用シート空調装置を用い、
前記温度検出手段で検出したシート温度が予め定めた温度閾値を超えた場合には、前記空気冷却装置と前記送風機を作動する段階と、
同時に、前記制御手段は、前記切替手段の位置を前記第一位置と前記第二位置を予め定めた時間ずつ交互に切り替える段階とを備えていることを特徴とする車両用シート空調装置の制御方法。
【請求項５】
請求項１〜３のいずれか１項に記載の車両用シート空調装置を用い、温度検出手段で検出したシート温度が予め定めた温度閾値を超えた場合には、前記車両用シート空調装置を作動させる段階と、
前記車両用シート空調装置の作動と同時に車両用空調装置を作動させる段階とを備えていることを特徴とする車両用シート空調装置の制御方法。
【発明の詳細な説明】
【技術分野】
【０００１】
本発明は車両用シート空調装置に関する。
【背景技術】
【０００２】
特に夏季に直射日光などにより加熱された車両シートを冷却するために、シート内に設けられている空調装置が提案されている。このシート空調装置は、図４に示すように、空気冷却装置（図示せず）を備えており、シート１０が一定値以上の温度に達した時に、この空気冷却装置で冷却した空気を、ファン１により、シート面の裏側に通じている通風路２を通して送風している（例えば、特許文献１参照。）。
【０００３】
【特許文献１】特開２００２−２３４３３２号公報
【０００４】
また、別の方法では、シート面の裏側に冷気を送風する代わりに、シート面の裏側に熱伝導材を接触させることにより、シート面を冷却している。
【０００５】
しかしながら、いずれの方法においても、乗員が直接触れるシート面の表側ではなく、裏側を冷やしているため、効率よくシート面を冷却できないという問題がある。
【発明の開示】
【発明が解決しようとする課題】
【０００６】
そこで、上記問題点に鑑み、本発明の目的は、シート面を効率よく冷却できるシート空調装置を提供することである。
【課題を解決するための手段】
【０００７】
本発明の請求項１に係る車両用シート空調装置によれば、座部及び背もたれ部を有する車両用シートの温度を検出する温度検出手段と、シートの座部に設けられた複数の吹出口に通じている通風路と、通風路内に設けられている送風機と、通風路内に設けられている空気冷却装置とを備え、座部に設けられた複数の吹出口は、ほぼ全領域の吹出口と、背もたれ部側に近い領域の吹出口とで構成されており、ほぼ全領域の吹出口のみを開口する第一位置と、背もたれ部側に近い領域の吹出口のみを開口する第二位置とに位置しうる、通風路内に設けられた切替手段とをさらに備え、温度検出手段で検出したシート温度が予め定めた温度閾値を越えた場合に切替手段を第二位置に切り替える制御機構とを備えている。これにより、シート温度が閾値を超えた場合には、冷気が、乗員が直接触れる背もたれ部の表側へ吹き出されるので、シート面を効率よく冷却できる。
【０００８】
また、請求項２に係る車両用シート空調装置によれば、座部及び背もたれ部を有する車両用シートの温度を検出する温度検出手段と、シートの背もたれ部に設けられた複数の吹出口に通じている通風路と、通風路内に設けられている送風機と、通風路内に設けられている空気冷却装置とを備え、背もたれ部に設けられた複数の吹出口は、ほぼ全領域の吹出口と、座部側に近い領域の吹出口とで構成されており、ほぼ全領域の吹出口のみを開口する第一位置と、座部側に近い領域の吹出口のみを開口する第二位置とに位置しうる、通風路内に設けられた切替手段とをさらに備え、温度検出手段で検出したシート温度が予め定めた温度閾値を越えた場合に切替手段を第二位置に切り替える制御機構とを備えている。これにより、シート温度が閾値を超えた場合には、冷気が、乗員が直接触れる座部の表側へ吹き出されるので、シート面を効率よく冷却できる。
【０００９】
また、請求項３に係る車両用シート空調装置によれば、座部及び背もたれ部を有する車両用シートの温度を検出する温度検出手段と、シートの座部及び背もたれ部に設けられた複数の吹出口に通じている通風路と、通風路内に設けられている送風機と、通風路内に設けられている空気冷却装置とを備え、座部に設けられた複数の吹出口は、ほぼ全領域の吹出口と、背もたれ部側に近い領域の吹出口とで構成されており、背もたれ部に設けられた複数の吹出口は、ほぼ全領域の吹出口と、座部側に近い領域の吹出口とで構成されており、座部に設けられた複数の吹出口の中心軸線と、背もたれ部に設けられた複数の吹出口の中心軸線は、互いに偏倚しており、座部のほぼ全領域の吹出口及び背もたれ部のほぼ全領域の吹出口のみを開口する第一位置と、座部の背もたれ部側に近い領域の吹出口及び背もたれ部の座部側に近い領域の吹出口のみを開口する第二位置とに位置しうる、通風路内に設けられた切替手段とをさらに備え、切替手段の位置を切り替える制御機構とを備えている。これにより、シート温度が閾値を超えた場合には、冷気が、乗員が直接触れる背もたれ部及び座部の表側へ吹き出されるので、シート面を効率よく冷却できる。
【００１０】
請求項４に係る車両用シート空調装置の制御方法によれば、座部及び背もたれ部を有する車両用シートの温度を検出する温度検出手段と、シートの座部及び背もたれ部に設けられた複数の吹出口に通じている通風路と、通風路内に設けられている送風機と、通風路内に設けられている空気冷却装置とを備え、座部に設けられた複数の吹出口は、ほぼ全領域の吹出口と、背もたれ部側に近い領域の吹出口とで構成されており、背もたれ部に設けられた複数の吹出口は、ほぼ全領域の吹出口と、座部側に近い領域の吹出口とで構成されており、背もたれ部側に近い領域の吹出口とで構成されており、座部のほぼ全領域の吹出口及び背もたれ部のほぼ全領域の吹出口のみを開口する第一位置と、座部の背もたれ部側に近い領域の吹出口及び背もたれ部の座部側に近い領域の吹出口のみを開口する第二位置とに位置しうる、通風路内に設けられた切替手段とをさらに備え、切替手段の位置を切り替える制御機構とを備えていることを特徴とする車両用シート空調装置を用い、温度検出手段で検出したシート温度が予め定めた温度閾値を超えた場合には、空気冷却装置と送風機を作動する段階と、同時に、制御手段は、切替手段の位置を第一位置と第二位置を予め定めた時間ずつ交互に切り替える段階とを備えている。これにより、シート温度が閾値を超えた場合には、冷気が、乗員が直接触れる背もたれ部及び座部の表側へ交互に吹き出されるので、シート面を効率よく冷却できる。
【００１１】
請求項５に係る車両用シート空調装置の制御方法によれば、請求項１〜３のいずれか１項に記載の車両用シート空調装置を用い、温度検出手段で検出したシート温度が予め定めた温度閾値を超えた場合には、車両用シート空調装置を作動させる段階と、車両用シート空調装置の作動と同時に車両用空調装置を作動させる段階とを備えている。これにより、乗員が直接触れる背もたれ部及び／又は座部の表側へ冷気が吹き出されるのと同時に、車両用空調装置によって車室内の空気が冷却されるので、シート面をより一層効率よく冷却できる。
【発明を実施するための最良の形態】
【００１２】
以下、本発明の実施例について添付図面を参照しつつ詳細に説明する。最初に本発明の第一実施例について説明する。図１は本発明の第一実施例の車両用シート空調装置の断面図である。シート１０は、座部１１と背もたれ部１２とで構成されている。車両用シート空調装置は、概ね、車両用シートの温度を検出する温度センサ（図示せず）と、シート１０の座部１１に設けられた複数の吹出口に通じている通風路２、４と、通風路２内に設けられている送風機１と、通風路２内に設けられている空気冷却装置（図示せず）と、通風路２に通じている吹出口のみを開口する位置と通風路４に通じている吹出口のみを開口する位置とに位置しうる切替ドア３と、切替ドア３の位置を切り替える制御機構（図示せず）とを備えている。
【００１３】
温度センサは、電子制御ユニット（ＥＣＵ）に接続されており、それゆえ、温度センサで検出したシート温度に関する信号が電子制御ユニットに送られる。なお、温度センサは、好ましくは、シート１０に取り付けられるが、必ずしもシート１０に取り付けられてなく、車両の温度センサと共用でもよい。
【００１４】
本実施例では、空気流れの上流から、空気冷却装置（図示せず）と、送風機１と、切替ドア３と、通風路２、４と、通風路２、４それぞれに通じている複数の吹出口とが設けられている。
【００１５】
空気冷却装置は、好ましくは、公知のペルチェモジュールであり、その吸熱面を通風路２内に配置している。これにより、空気冷却装置を作動すると、通風路２中の空気が冷却される。
【００１６】
座部１１に設けられた複数の吹出口は、通風路２に通じているほぼ全領域の吹出口と、通風路４に通じている背もたれ部１２側に近い領域の吹出口４ａとで構成されている。切替ドア３は、通風路２内に設けられており、ほぼ全領域の吹出口のみを開口する、すなわち、図１において点線で示すように、通風路２のみを開口する第一位置と、背もたれ部１２側に近い領域の吹出口４ａのみを開口する、すなわち、図１において実線で示すように、通風路４のみを開口する第二位置とに位置しうる。
【００１７】
制御機構は、本実施例では、切替ドア３を回転駆動するべくドア３に連結された電動モータであり、ＥＣＵに接続されている。これにより、ＥＣＵからの信号に応じて切替ドア３の位置を切り替えることができる。本実施例では、ＥＣＵにおいて、温度センサで検出したシート温度が予め定めた温度閾値を超えた場合に、切替ドア３を第二位置に切り替える信号を制御機構に送るように設定されている。
【００１８】
以上の構成により、シート温度が予め定めた温度以上となった時、図１において矢印で示されるように、冷気が背もたれ部１２側に近い領域の吹出口４ａのみから背もたれ部１２に沿って流される。このように、冷気が、乗員が直接触れる背もたれ部１２の表側へ吹き出されるので、シート面を効率よく冷却できる。
【００１９】
次に第二実施例について図２を参照しつつ説明する。図２は本発明の第二実施例の車両用シート空調装置の断面図である。第二実施例は、通風路２が、座部１１に設けられた吹出口のみならず、背もたれ部１２に設けられた吹出口にも通じている点と、通風路４の通じている吹出口４ｂは、背もたれ部１２の、座部１１に近い側に設けられているという点のみが第一実施例と異なっている。このような構成により、第一実施例と同様に、シート温度が予め定めた閾値を超えた場合には、冷気が、乗員が直接触れる座部の表側へ吹き出されるので、シート面を効率よく冷却できる。なお、第二実施例の変形例として、通風路２が背もたれ部１２に設けられた吹出口のみに通じている構成も考えられる。
【００２０】
次に第三実施例について図３を参照しつつ説明する。図３は本発明の第三実施例の車両用シート空調装置の断面図である。第三実施例は、通風路４が、座部１１の背もたれ部１２側に近い領域の吹出口４ａと、背もたれ部１２の座部１１に近い側に設けられている吹出口４ｂに通じているという点のみが第二実施例と異なっている。なお、座部１１からの空気流と背もたれ部１２からの空気流が干渉しないように、座部１１に設けられた複数の吹出口の中心軸線と、背もたれ部１２に設けられた複数の吹出口の中心軸線が、互いに偏倚するように、吹出口が配置されている。これにより、シート温度が予め定めた閾値を超えた場合には、乗員が直接触れる背もたれ部及び座部の表側へ吹き出されるので、シート面を効率よく冷却できる。
【００２１】
また、第三実施例の車両用シート空調装置の変形例として、座部１１に設けられた複数の吹出口の中心軸線と、背もたれ部１２に設けられた複数の吹出口の中心軸線が、互いに偏倚していない構成でもよい。この場合、吹出口４ａと吹出口４ｂを分岐する地点において、さらなる切替ドア（図示せず）が設けられ、吹出口４ａと吹出口４ｂを予め定めた時間で交互に開口する、すなわち、背もたれ部１２に沿った空気流と、座部１１に沿った空気流を交互に生成する。これにより、シート温度が予め定めた閾値を超えた場合には、乗員が直接触れる背もたれ部及び座部の表側へ交互に吹き出されるので、シート面を効率よく冷却できる。
【００２２】
また、上記全ての実施例の車両用シート空調装置を用いる場合において、シート空調装置の作動と同時に車両用空調装置を作動させてもよい。この場合、車両用空調装置はＥＣＵに接続されており、それゆえ、車両用シート空調装置の作動時に車両用空調装置を作動させる信号が、車両用空調装置に送られる。これにより、冷気が、乗員が直接触れる背もたれ部及び／又は座部の表側へ吹き出されるのと同時に、車両用空調装置によって車室内の空気が冷却されるので、シート面をより一層効率よく冷却できる。
【００２３】
以上の説明では、空気冷却装置としてペルチェモジュールを例にとって説明したが、空気冷却装置として空調装置を採用してもよい。
【図面の簡単な説明】
【００２４】
【図１】本発明の第一実施例の車両用シート空調装置の断面図である。
【図２】本発明の第二実施例の車両用シート空調装置の断面図である。
【図３】本発明の第三実施例の車両用シート空調装置の断面図である。
【図４】従来の車両用シート空調装置の断面図である。
【符号の説明】
【００２５】
１    送風機
２    通風路
３    切替ドア
４    通風路
１０    シート
１１    座部
１２    背もたれ部
【図１】
2006117085.tif 000003
【図２】
2006117085.tif 000004
【図３】
2006117085.tif 000005
【図４】
2006117085.tif 000006